(57)【要約】【課題】  表面に施される処理の除菌性能評価のために、評価用の菌が付着し、かつ乾いた状態の評価面を作製する、除菌性能評価面の作製方法を提供すること。【解決手段】  評価用面に評価用菌液を一定量接種する第１の工程を行い、その後、前記評価用面を乾燥させる第２の工程を行うことにより、第１の工程で評価用面に評価用の菌を付着させ、第２の工程で評価用面に残る水分を蒸発させて、乾いた状態の除菌性能評価面の作製方法が提供できるようになる。【選択図】  図１
2005083803.tif 000002
【特許請求の範囲】
【請求項１】
評価用面に評価用菌液を一定量接種する第１の工程を行い、その後、前記評価用面を乾燥させる第２の工程を行って、除菌性能評価用の評価面を作製する、除菌性能評価面の作製方法。
【請求項２】
第１の工程は、評価用面に評価用菌液を一定量滴下し、その後、滴下した菌液を塗り広げることを特徴とする請求項１に記載の除菌性能評価面の作製方法。
【請求項３】
第１の工程は、評価用面に評価用菌液を一定量噴霧することを特徴とする請求項１に記載の除菌性能評価面の作製方法。
【請求項４】
第１の工程で接種する菌液の濃度、量、第２の工程での乾燥条件を調節することにより、評価用面の単位面積当たりの菌数を目的の菌数に制御する請求項１〜３のいずれか１項に記載の除菌性能評価面の作製方法。
【請求項５】
第２の工程は、自然乾燥することを特徴とする請求項１〜４のいずれか１項に記載の除菌性能評価面の作製方法。
【請求項６】
第２の工程は、２０℃〜５０℃の温度で乾燥することを特徴とする請求項１〜４のいずれか１項に記載の除菌性能評価面の作製方法。
【請求項７】
第１の工程の前に、評価用面を滅菌処理する工程を有する請求項１〜６のいずれか１項に記載の除菌性能評価面の作製方法。
【請求項８】
請求項１〜７のいずれか１項に記載の作製方法により作製した除菌性能評価面を用いて、除菌性能を評価する除菌性能評価方法。
【発明の詳細な説明】
【技術分野】
【０００１】
本発明は、評価用面に菌液を接種し、菌に関する除菌性能評価用の評価面を作製する方法と、これを用いた除菌性能評価方法に関するものである。
【背景技術】
【０００２】
従来、菌を用いた表面の評価方法として、抗菌機能を備えた表面の抗菌性評価方法がある（例えば、特許文献１参照）。
【０００３】
特許文献１に記載された従来の抗菌評価方法は、評価用面に評価用菌液を一定量接種し、その上に親水性の被覆フィルムを被せて蓋をした後、一定条件下で保存する第１工程と、第１工程後、一定培地を用いて評価用面および被覆フィルムに付着している菌を測定液中に洗い出し、測定液中の生菌数を測定する第２工程とから構成されている。
【特許文献１】特開２００１−２９９３８４号公報
【発明の開示】
【発明が解決しようとする課題】
【０００４】
しかしながら、前記従来の方法では、菌液を評価用面に直接接種するため、評価用面そのもののもつ抗菌性を評価することはできるが、評価用面の表面は菌液で濡れた状態であるため、掃除による除菌効果についての評価等、表面に施される処理の除菌性能評価には用いられないという課題を有していた。
【０００５】
本発明は、前記従来の課題を解決するもので、除菌性能評価用に、評価用の菌が付着し、かつ乾いた状態の評価面を提供することを目的とする。
【課題を解決するための手段】
【０００６】
前記従来の課題を解決するために、本発明の除菌性能評価面の作製方法は、評価用面に評価用菌液を一定量接種する第１の工程を行い、その後、前記評価用面を乾燥させる第２の工程を行うものである。これによって、第１の工程で評価用面に評価用の菌を付着させ、第２の工程で評価用面に残る水分を蒸発させ、乾いた状態とするものである。
【発明の効果】
【０００７】
本発明の除菌性能評価面の作製方法は、評価用の菌が付着し、かつ乾いた状態の評価面を提供することができる。また、それを用いた、表面に施される処理の除菌性能評価方法を提供することができる。
【発明を実施するための最良の形態】
【０００８】
第１の発明は、評価用面に評価用菌液を一定量接種する第１の工程を行い、その後、前記評価用面を乾燥させる第２の工程を行って、除菌性能評価用の評価面を作製する、除菌性能評価面の作製方法であり、第１の工程で評価用面に評価用の菌を付着させ、第２の工程で評価用面に残る水分を蒸発させ、乾いた状態とすることができる。
【０００９】
第２の発明は、第１の発明の第１の工程が、評価用面に評価用菌液を一定量滴下し、その後、滴下した菌液を塗り広げるものであり、菌液を評価用面に塗り広げることで、評価用面全体に均一に菌を付着することができる。また、滴下する菌液の量、塗り広げる面積を設定することで、複数の評価用面でも、単位面積当たりの菌数を同程度とすることができる。
【００１０】
第３の発明は、第１の発明の第１の工程が、評価用面に評価用菌液を一定量噴霧するものであり、菌液を噴射することで、評価用面全体に均一に菌を付着することができる。また、使用する噴霧器の吐出量、吐出口と評価面との距離、噴霧回数等を設定することで、複数の評価用面でも、単位面積当たりの菌数を同程度とすることができる。
【００１１】
第４の発明は、第１〜第３のいずれか１つの発明の第１の工程が、接種する菌液の濃度、量、第２の工程での乾燥条件を調節することにより、評価用面の単位面積当たりの菌数を目的の菌数に制御するものであり、複数の評価用面でも、単位面積当たりの菌数を同程度とすることができる。また、評価の目的に合わせて、単位面積当たりの菌数を変化させることもできる。
【００１２】
第５の発明は、第１〜第４のいずれか１つの発明の第２の工程が、自然乾燥することを特徴とするものであり、特に器具、設備を必用とせず、評価用面に残る水分を蒸発させ、乾いた状態とすることができる。
【００１３】
第６の発明は、第１〜第４のいずれか１つの発明の第２の工程が、２０℃〜５０℃の温度で乾燥するものであり、菌の死滅温度以下の温度をかけることにより、自然乾燥よりも短時間で、評価用面に残る水分を蒸発させ、乾いた状態とすることができる。
【００１４】
第７の発明は、第１〜第６のいずれか１つの発明で、第１の工程の前に、評価用面を滅菌処理する工程を行うものであり、既に評価用面に付着している常在菌等を死滅させ、評価に用いる菌のみを用いて評価することができる。
【００１５】
第８の発明は、第１〜第７のいずれか１つの発明の作製方法により作製した除菌性能評価面を用いて、除菌性能を評価する除菌性能評価方法であり、作製された評価面に掃除などの処理を行った場合、その処理の除菌性能を、評価面に残存する菌数を測定することで評価することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における、除菌性能評価面の作製方法のフローチャートを示すものである。
【００１８】
図１において、まず初めに評価用面を滅菌処理して、既に評価用面に付着している常在菌等を死滅させる。滅菌処理としては、殺菌アルコールの噴霧、または紫外線殺菌灯による紫外線照射がある。
【００１９】
次に、第１の工程である、評価用面に評価用菌液を一定量接種する工程を行う。本工程では、滅菌処理した評価用面に評価用菌液を一定量滴下し、その後滴下した菌液を塗り広げる。菌液をピペット等を用いて一定量を秤量し、評価用面に滴下し、ゴム製のへら等の器具を用いて評価面の全体に均一になるように塗り広げる。
【００２０】
次に、第２の工程である、評価用面を乾燥する工程を行う。本工程では、第１の工程で接種された菌液の水分を蒸発させ、評価用面を乾燥した状態にする。乾燥方法としては、評価環境にそのまま静置する自然乾燥と、温度を調節して行う方法がある。
【００２１】
温度を調節する場合は、菌の死滅温度以下である２０℃〜５０℃にした電気炉等に入れて加熱し、乾燥させる。黄色ブドウ状球菌や大腸菌等の一般細菌の死滅温度は６０℃〜６５℃、カビ等の真菌の死滅温度は６０℃〜１００℃であるため、上記の温度であれば熱による菌の死滅をさけることができる。
【００２２】
それぞれの乾燥方法、また接種した菌液の量に合わせて、乾燥時間を調節し、評価面に水分が残っておらず、乾いた状態とし、評価面を完成させる。
【００２３】
（実施の形態２）
図２は、本発明の第２の実施の形態における、除菌性能評価面の作製方法のフローチャートを示すものである。
【００２４】
第１の工程以外は、実施の形態１と同様である。本実施の形態では第１の工程が、評価用面に評価用菌液を一定量噴霧する工程からなる。スプレーを用いて、菌液を評価用面に向けて噴霧することで、菌液を評価面全体に分散させる。
【００２５】
（実施の形態３）
図３は、本発明の第３の実施の形態における、除菌性能評価方法のフローチャートを示すものである。評価面を乾燥させる工程（第２の工程）までは、実施の形態１と同様である。
【００２６】
その後、完成した評価面を用いて、表面に施される処理による除菌性能である掃除機の除菌性能の評価工程を行う。本工程では、まず評価面に施される処理として、掃除機による掃除を行い、その後、評価面に残存する菌の回収および測定を行う。
【００２７】
菌の回収および測定は、寒天培地を評価面に直接接触させ、所定の培養条件で培養させた後にコロニーを数える方法で行う。また、所定の範囲に、湿式綿棒等の器具を用いて拭き取り、生理食塩水などを用いて綿棒から菌液として抽出し、菌液を、寒天培地に塗り広げる、または寒天培地と混釈し、前記の方法と同様に培養させた後にコロニーを数える方法もある。
【００２８】
次に、本実施の形態の除菌性能評価方法を用いた実験例を示す。
【００２９】
評価用の板、３０ｃｍ×３０ｃｍの４枚を殺菌アルコールをスプレーし、滅菌した。次に黄色ブドウ状球菌の菌液を１０6ＣＦＵ／ｃｍ2となるように調製し、その菌液を評価用の板に０．５ｍｌ滴下し、ゴム製のへらを用いて全体に塗り広げ、その後、約１時間乾燥させた。
【００３０】
このようにして、製造した評価用の板を、湿式綿棒を用いて拭き取り、付着する菌を回収し、測定した。測定は、回収した菌を抽出し、平板希釈法により培養し、培養後のコロニーを数える方法で行い、それにより評価用の板には１０2ＣＦＵ／ｃｍ2の黄色ブドウ球菌が付着していることが解った。また、同条件で製造した評価用の板は３枚を同様に測定したところ、すべて同程度の菌が付着していた。
【００３１】
次に、製造された評価用の板の残り１枚を用いて、掃除機による掃除の除菌性能評価を行った。評価用の板の上で、掃除機の床ノズルを３往復させ、湿式綿棒を用いて拭き取り、付着する菌を回収し、前記と同様な方法で測定した。前記の３枚の評価用の板の菌数の平均値をとり、その値からの減少分を除去率として計算したところ、約９５％の除去率であった。
【００３２】
以上のように、本実施の形態においては、評価用の菌が付着し、かつ乾いた状態の評価面を、接種する菌液の濃度、量、乾燥条件を調節することにより、評価面の単位面積当たりの菌数を目的の菌数に制御することができるため、実際には同一でない評価面を用いて、掃除機による掃除での菌数の減少分計算することができるのである。
【産業上の利用可能性】
【００３３】
以上のように、本発明にかかる除菌性能評価用評価面の製造方法によれば、評価用の菌が付着し、かつ乾いた状態の評価面を提供することができるので、それを用いて、掃除機、フローリングの拭き取りシート、除菌スプレー等の製品の除菌性能評価に適用できる。
【図面の簡単な説明】
【００３４】
【図１】本発明の実施の形態１における除菌性能評価用評価面の製造方法のフローチャート
【図２】本発明の実施の形態２における除菌性能評価用評価面の製造方法のフローチャート
【図３】本発明の実施の形態３における除菌性能評価方法のフローチャート
【図１】
2005083803.tif 000003
【図２】
2005083803.tif 000004
【図３】
2005083803.tif 000005